(57)【要約】【課題】サブバッグや手提げ袋、ビジネスバッグなどの各種の手荷物をバッグ本体上に簡単な操作で安定して載置し固定することができるキャリーバッグを提供する。【解決手段】長さ調節用金具３０を具備するベルト部２４の一端側に、バッグ本体１２の提げ手部に係合して連結される連結具を有し、ベルト部の他端側に、運搬用ハンドル１６の一対の支柱部１８に嵌挿される無端状のゴム製ロープ２８を有する手荷物固定用ストラップ２２を備えてキャリーバッグ１０を構成し、手荷物固定用ストラップ２２によってバッグ本体１２上のサブバッグ３４を一対の支柱部１８に押し付けて固定する。【選択図】図４
2010259587.tif 000002
【特許請求の範囲】
【請求項１】
バッグ本体の外底部にキャスタを具備し、バッグ本体の背面側に、互いに平行な一対の支柱部の上端部同士を連接するように横設された握り部を有する運搬用ハンドルが取着されたキャリーバッグにおいて、
長さ調節用金具を具備するベルト部の一端側に、前記バッグ本体の提げ手部に係合して連結される連結具を有し、ベルト部の他端側に、前記運搬用ハンドルの一対の支柱部に嵌挿される輪状部を有する手荷物固定用ストラップを備え、その手荷物固定用ストラップの前記ベルト部によって、前記バッグ本体上に載置される手荷物を前記一対の支柱部に押し付けて固定するようにしたことを特徴とするキャリーバッグ。
【請求項２】
前記連結具および前記輪状部は、それぞれ無端状のゴム製ロープである請求項１に記載のキャリーバッグ。
【請求項３】
バッグ本体の外底部にキャスタを具備し、バッグ本体の背面側に、互いに平行な一対の支柱部の上端部同士を連接するように横設された握り部を有する運搬用ハンドルが取着されたキャリーバッグの付属備品であって、
長さ調節用金具を具備するベルト部の一端側に、前記キャリーバッグのバッグ本体の提げ手部に係合して連結される連結具を有し、ベルト部の他端側に、前記キャリーバッグの運搬用ハンドルの一対の支柱部に嵌挿される輪状部を有し、前記ベルト部によって、前記キャリーバッグのバッグ本体上に載置される手荷物を前記一対の支柱部に押し付けて固定することを特徴とする、キャリーバッグの手荷物固定用ストラップ。
【請求項４】
前記連結具および前記輪状部は、それぞれ無端状のゴム製ロープである請求項３に記載の、キャリーバッグの手荷物固定用ストラップ。
【発明の詳細な説明】
【技術分野】
【０００１】
この発明は、バッグ本体の外底部にキャスタを具備しバッグ本体の背面側に運搬用ハンドルが設けられ旅行、ショッピング、ビジネスなどで用いられるキャリーバッグ、ならびに、そのキャリーバッグの付属備品であって、バッグ本体上にサブバッグ、トートバッグ、手提げ袋、ビジネスバッグ等の手荷物を併載して運搬できるようにするための手荷物固定用ストラップに関する。
【背景技術】
【０００２】
旅行用バッグなどとして用いられるキャリーバッグは、バッグ本体の外底部にキャスタを有し、バッグ本体の背面側に一体的に設けられてたハンドルを持って引っ張ったり押したりしてキャスタを転がしながらバッグを運搬するものである。このようなキャリーバッグと一緒にサブバッグを携行する場合には、バッグ本体の上にサブバッグを載せ、そのサブバッグの提げ手部分をハンドルの握り部と一緒に掴み込むなどして、運搬時にバッグ本体上からサブバッグがずり落ちないようにしている。また、バッグ本体上に載せたサブバッグとハンドルやバッグ本体とに紐を掛け回すなどして、バッグ本体上にサブバッグを固定したりしている。
【０００３】
また、ハンドルの握り部から横方向へ突き出すように棒状もしくは板状の突出部を設け、その突出部に手提げ袋の提げ手紐を引っ掛けることができるようにしたキャリーバッグも提案されている（例えば、特許文献１参照。）。
【先行技術文献】
【特許文献】
【０００４】
【特許文献１】特開２００４−７３５３４号公報（第３−４頁、図４）
【発明の概要】
【発明が解決しようとする課題】
【０００５】
バッグ本体上に載せたサブバッグの提げ手部分をハンドルの握り部と一緒に掴むといった方法では、サブバッグをバッグ本体上に安定して保持することができず、キャリーバッグの利用者にとっても余計な注意力が必要で不便を感じることになる。バッグ本体上にサブバッグを紐で固定する方法は、サブバッグを紐で縛ったり紐を解いたりする作業が面倒で煩わしい。また、ハンドルの握り部に突出部を付設するといった構成では、バッグ本体上に固定することができる手荷物の種類が限られる、といった問題点がある。
【０００６】
この発明は、以上のような事情に鑑みてなされたものであり、サブバッグや手提げ袋、ビジネスバッグなどの各種の手荷物をバッグ本体上に簡単な操作で安定して載置し固定することができるキャリーバッグを提供すること、ならびに、各種の手荷物をバッグ本体上に簡単な操作で安定して載置し固定できるようにするためのキャリーバッグの付属備品を提供することを目的とする。
【課題を解決するための手段】
【０００７】
第１の発明は、バッグ本体の外底部にキャスタを具備し、バッグ本体の背面側に、互いに平行な一対の支柱部の上端部同士を連接するように横設された握り部を有する運搬用ハンドルが取着されたキャリーバッグに、付属備品として手荷物固定用ストラップを備え、その手荷物固定用ストラップによって、バッグ本体上に載置される手荷物を固定するようにしたことを特徴とする。手荷物固定用ストラップは、長さ調節用金具を具備するベルト部の一端側に、バッグ本体の提げ手部に係合して連結される連結具を有し、ベルト部の他端側に、運搬用ハンドルの一対の支柱部に嵌挿される輪状部を有して構成され、ベルト部によって、バッグ本体上に載置される手荷物を一対の支柱部に押し付ける。
【０００８】
上記構成のキャリーバッグにおいて、連結具および輪状部をそれぞれ無端状のゴム製ロープで構成することができる。
【０００９】
第２の発明は、バッグ本体の外底部にキャスタを具備し、バッグ本体の背面側に、互いに平行な一対の支柱部の上端部同士を連接するように横設された握り部を有する運搬用ハンドルが取着されたキャリーバッグの付属備品であって、バッグ本体上に載置される手荷物を固定するための手荷物固定用ストラップに係るものである。この手荷物固定用ストラップは、長さ調節用金具を具備するベルト部の一端側に、前記キャリーバッグのバッグ本体の提げ手部に係合して連結される連結具を有し、ベルト部の他端側に、前記キャリーバッグの運搬用ハンドルの一対の支柱部に嵌挿される輪状部を有して構成され、前記ベルト部によって、前記キャリーバッグのバッグ本体上に載置される手荷物を前記一対の支柱部に押し付けて固定する。
【００１０】
上記構成の手荷物固定用ストラップにおいて、連結具および輪状部をそれぞれ無端状のゴム製ロープで構成することができる。
【発明の効果】
【００１１】
第１の発明に係るキャリーバッグにおいては、また、第２に発明に係る手荷物固定用ストラップを使用してキャリーバッグのバッグ本体上に手荷物を固定しようとするときは、手荷物固定用ストラップのベルト部の一端側を、連結具を介してバッグ本体の提げ手部に連結し、バッグ本体上に載置されたサブバッグ等の手荷物の胴部にベルト部を掛け回すようにして、ベルト部の他端側の輪状部を運搬用ハンドルの一対の支柱部に嵌挿し、長さ調節用金具によりベルト部の長さを調節して、手荷物が動かないように手荷物を一対の支柱部に押し付けて固定する。手荷物が手提げ袋などであっても、同様にして、手荷物の胴部にベルト部を掛け回すようにし手荷物を一対の支柱部に押し付けて固定する。
したがって、第１の発明に係るキャリーバッグを使用すると、また、キャリーバッグのバッグ本体上に手荷物を固定するのに第２の発明に係る手荷物固定用ストラップを使用すると、サブバッグや手提げ袋、ビジネスバッグなどの各種の手荷物をバッグ本体上に簡単な操作で安定して載置し固定することができ、利用者は安心して手荷物を一緒に運搬することができる。
【００１２】
手荷物固定用ストラップの連結具および輪状部をそれぞれ無端状のゴム製ロープで構成した場合においては、連結具をなすゴム製ロープをバッグ本体の提げ手部に挿し入れて掛け回した後、ゴム製ロープの、提げ手部より先端側の輪状部分にベルト部を通し、ゴム製ロープを提げ手部に締め付けることにより、手荷物固定用ストラップの一端側がバッグ本体の提げ手部に連結される。手荷物固定用ストラップの他端側は、ゴム製ロープの輪状部分を運搬用ハンドルの一対の支柱部に嵌挿するだけで一対の支柱部に連結される。このように、ベルト部の両端部にそれぞれ無端状のゴム製ロープを取着するといった構成とすることにより、手荷物の固定操作をより簡単に短時間で行うことができる。
【図面の簡単な説明】
【００１３】
【図１】この発明の実施形態の１例を示し、キャリーバッグの全体を示す斜視図である。
【図２】図１に示したキャリーバッグの付属備品である手荷物固定用ストラップの構成の１例を示す平面図である。
【図３】図２に示した手荷物固定用ストラップの一端側をキャリーバッグのバッグ本体の提げ手部に連結した状態を示す部分拡大図である。
【図４】図１に示したキャリーバッグのバッグ本体上にサブバッグを載せ手荷物固定用ストラップで固定した状態を示す斜視図である。
【図５】図１に示したキャリーバッグのバッグ本体上に手提げ袋を載せ手荷物固定用ストラップで固定した状態を示す斜視図である。
【発明を実施するための形態】
【００１４】
以下、この発明の好適な実施形態について図面を参照しながら説明する。
図１に全体斜視図を示すように、キャリーバッグの基本構成は従来のものと変わらない。すなわち、キャリーバッグ１０は、バッグ本体１２の外底部にキャスタ１４が取り付けられ、バッグ本体１２の背面側に、互いに平行な一対の支柱部１８の上端部同士を連接するように握り部２０が横設された運搬用ハンドル１６が取り付けられて構成されている。運搬用ハンドル１６は、収納および上方への引出しが可能である。
【００１５】
このキャリーバッグ１０は、付属備品として、サブバッグ等の手荷物をバッグ本体１２上に固定して保持するための手荷物固定用ストラップ２２を具備している。手荷物固定用ストラップ２２は、図２に平面図を示すように、ベルト部２４の一端側に、バッグ本体１２の提げ手部３２に連結される連結具をなす無端状のゴム製ロープ２６が取着され、ベルト部２４の他端側に、運搬用ハンドル１６に連結される輪状部をなす同じく無端状のゴム製ロープ２６が取着された構成を有する。ベルト部２４の一端側のゴム製ロープ２６は、図３に部分拡大図を示すように、バッグ本体１２の提げ手部３２に挿し入れて掛け回した後、ゴム製ロープ２６の、提げ手部３２より先端側の輪状部分にベルト部２４を通してから、ゴム製ロープ２６を提げ手部３２に締め付けることにより提げ手部３２に係合される。また、ベルト部２４の他端側のゴム製ロープ２８は、図１に示したように、その輪状部分を運搬用ハンドル１６の一対の支柱部１８に上から嵌挿するだけで一対の支柱部１８に係合される。ベルト部２４には、その全体の長さを調節するための長さ調節用金具３０が設けられている。
【００１６】
上記した構成のキャリーバッグ１０に手荷物、例えばサブバッグを保持するときは、図４に斜視図を示すように、バッグ本体１２上にサブバッグ３４を載置し、一端側がバッグ本体１２の提げ手部３２に連結された手荷物固定用ストラップ２２のベルト部２４をサブバッグ２４の胴部に掛け回すようにする。そして、ベルト部２４の他端側のゴム製ロープ２８の輪状部分を運搬用ハンドル１６の一対の支柱部１８に上方から嵌挿する。その後に、長さ調節用金具３０によりベルト部２４の長さを調節することにより、サブバッグ３４が動かないようにサブバッグ３４を一対の支柱部１８に押し付けて固定する。なお、手荷物固定用ストラップ２２のベルト部２４をサブバッグ２４の胴部に掛け回す前に、予めベルト部２４の長さを調節しておくようにしてもよい。
【００１７】
また、手提げ袋をキャリーバッグ１０に保持するときも上記と同様に操作する。すなわち、図５に斜視図を示すように、バッグ本体１２上に手提げ袋３６を載せ、一端側がバッグ本体１２の提げ手部３２に連結された手荷物固定用ストラップ２２のベルト部２４を手提げ袋３６に掛け回し、ベルト部２４の他端側のゴム製ロープ２８の輪状部分を運搬用ハンドル１６の一対の支柱部１８に上方から嵌挿し、長さ調節用金具３０によりベルト部２４の長さを調節する。これにより、バッグ本体１２上の手提げ袋３６は、一対の支柱部１８に押し付けられて固定される。その他、ビジネスバッグ、トートバッグ、土産物等の各種の手荷物も、同様にしてキャリーバッグ１０のバッグ本体１２上に保持して固定することができる。
【００１８】
なお、手荷物固定用ストラップ２２のベルト部２４の一端側をバッグ本体１２の提げ手部３２に連結する連結具としては、上記した無端状のゴム製ロープ２６に限らず種々のものを使用し得る。また、上記したように無端状のゴム製ロープ２８を手荷物固定用ストラップ２２のベルト部２４の他端側に装着したときは、手荷物の固定操作を簡単に短時間で行うことができるので好ましいが、運搬用ハンドル１６の一対の支柱部１８に係合される輪状部も無端状のゴム製ロープ２８に限定されない。
【産業上の利用可能性】
【００１９】
この発明は、旅行、ショッピング、ビジネスなどで用いられるキャリーバッグを製造する製鞄分野のほか、旅行用品、雑貨などを扱う分野においても利用し得るものである。
【符号の説明】
【００２０】
１０  キャリーバッグ
１２  バッグ本体
１４  キャスタ
１６  運搬用ハンドル
１８  支柱部
２０  握り部
２２  手荷物固定用ストラップ
２４  ベルト部
２６、２８  無端状のゴム製ロープ
３０  長さ調節用金具
３２  バッグ本体の提げ手部
３４  サブバッグ
３６  手提げ袋
【図１】
2010259587.tif 000003
【図２】
2010259587.tif 000004
【図３】
2010259587.tif 000005
【図４】
2010259587.tif 000006
【図５】
2010259587.tif 000007